(57)【要約】【課題】本発明の目的は、落下やノック衝撃等による衝撃力を緩和し、且つインキ量が多い初期の状態と、筆記によりインキ量が消費した状態とのインキ追従性能に差が少ないボールペンレフィルを提供することにある。【解決手段】インキ収容管内部のインキ収容室に筆記具用インキを直に収納し、前記インキ収容管の先端にボールを回転自在に抱持したボールペンチップを直接またはチップホルダーを介して装着してなるボールペンレフィルにおいて、前記インキ収容室の少なくとも一部を螺旋状に形成するとともに、前記螺旋のピッチが、前記インキ収容室の先端部側より後端部側に向かって除々に小さくする。【選択図】      図１
2005144916.tif 000002
【特許請求の範囲】
【請求項１】
インキ収容管内部のインキ収容室に筆記具用インキを直に収納し、前記インキ収容管の先端にボールを回転自在に抱持したボールペンチップを直接またはチップホルダーを介して装着してなるボールペンレフィルにおいて、前記インキ収容室の少なくとも一部を螺旋状に形成するとともに、前記螺旋のピッチが、前記インキ収容室の先端部側より後端部側に向かって除々に小さくなることを特徴とするボールペンレフィル。
【請求項２】
前記インキ収容管が、螺旋状であることを特徴とする請求項１に記載のボールペンレフィル。
【発明の詳細な説明】
【技術分野】
【０００１】
本発明は、インキ収容管内部のインキ収容室に筆記具用インキを直に収容した、ボールペンレフィルに関する。
【背景技術】
【０００２】
従来から、インキ収容管内部のインキ収容室に筆記具用インキを直に収容した、ボールペンレフィルについてはよく知られている。
【０００３】
こうしたボールペンレフィルにおいて、本願出願人は、特許３４３９６６５号「ノック式ボールペン」や特許３４３９６６６号「ノック式ボールペン」にて、チップホルダーやチップ後端の開口面積を特定することで、落下による衝撃によるインキの流動を抑制する構造を開示している。また、特開平１０−３２９４７６号公報「筆記具用チップ」のように、インキ収容室やチップ内に流量を制御する部材を配設することで、落下による衝撃によるインキの流動を抑制する構造が開示されている。
【０００４】
前述したノック衝撃等の衝撃力は、インキ収容室に残存するインキ量によっても変化し、インキ量が多い初期の状態のほうが、インキ量が少ない終了時の状態に比べ衝撃力が大きい。これは、インキ自体の重さが影響するためであると考えられる。
【特許文献１】「特許３４３９６６５号公報」
【特許文献２】「特許３４３９６６６号公報」
【特許文献３】「特開平１０−３２９４７６号公報」
【発明の開示】
【発明が解決しようとする課題】
【０００５】
また、インキ収容室に残存するインキ量は、筆記によって消費するインキが追従するインキ追従性能にも微少に影響する。これは、インキ追従性能は、インキの粘度によって依存することが大であるが、インキの自重によってもチップ先端側に向う流れに微少に影響する。そのため、インキ量が多く、重量の高い初期の状態と、インキ量が少なく、重量の小さい終了時の状態を比べると、インキ追従性能に差が生じていることが分かった。
【０００６】
本発明の目的は、落下やノック衝撃等による衝撃力を緩和し、且つインキ量が多い初期の状態と、インキ量が少ない終了時の状態とを比べて、インキ追従性能に差が少ないボールペンレフィルを提供することにある。
【課題を解決するための手段】
【０００７】
本発明は、インキ収容管内部のインキ収容室に筆記具用インキを直に収納し、前記インキ収容管の先端にボールを回転自在に抱持したボールペンチップを直接またはチップホルダーを介して装着してなるボールペンレフィルにおいて、前記インキ収容室の少なくとも一部を螺旋状に形成するとともに、前記螺旋のピッチが、前記インキ収容室の先端部側より後端部側に向かって除々に小さくなることを特徴とする。
【０００８】
前記インキ収容管が、螺旋状であることを特徴とする。
【発明の効果】
【０００９】
本発明のボールペンレフィルは、落下やノック衝撃等による衝撃力を緩和し、且つインキ量が多い初期の状態と、インキ量が少ない終了時の状態とを比べて、インキ追従性能に差が少ない安定した、インキ追従性能を得られるボールペンレフィルを提供することができる。
【発明を実施するための最良の形態】
【００１０】
ノック衝撃を緩和し、安定したインキ吐出を得るという目的を、簡単な構造で実現した。
【実施例１】
【００１１】
図１に示すボールペンレフィル１は、インキ収容管２内のインキ収容室３に低粘度の油性インキであるボールペン用インキ（図示せず）を直に収容し、インキ収容管２の先端部にはチップホルダー４を介して、ボールを回転自在に抱持し、先端縁の内壁をボールと同形の球面状に形成したボールペンチップ５を装着し、インキ収容管２の後端部には内外を連通する通気孔を有する尾栓６を装着してある。
【００１２】
インキ収容室３に、螺旋状の通路７ａを有する螺旋部材７を配設してある。この螺旋状の通路７ａは、インキ収容管２のボールペンチップ５側から尾栓６側に向かって、螺旋のピッチが除々に小さくなっている。螺旋部材７の通路７ａによって螺旋状のインキ収納室３を形成し、筆記等によりボールペン用インキが消費すると、ボールペン用インキは、この通路７ａを通ってボールペンチップ５側に追従する。
【００１３】
インキ収容室内に、螺旋状の通路７ａを有する螺旋部材７を配設することで、落下による衝撃によるボールペン用インキの流動を抑制することができる。また、螺旋部材７の螺旋のピッチをボールペンチップ側から尾栓側に向かって除々に小さく（Ｌ＞Ｍ）することで、インキ量が多い初期の状態では、インキの後端部は螺旋のピッチＭが小さい通路７ａに位置するため、インキ量が多いのにも関わらず、ボールペン用インキの自重がボールペンチップ５側に伝わりにくい。従って、インキ量が多い初期の状態とインキ量が少ない終了時の状態とで、ボールペンチップ５側に伝わるボールペン用インキの自重の差が少ない。
【実施例２】
【００１４】
図２、図３に示すボールペンレフィル１１は、インキ収容管１２自体を螺旋状とすることで、インキ収容室１３を螺旋状としている。この螺旋状のインキ収容室１３に低粘度の油性インキ（図示せず）を直に収容した以外は、実施例１と同様にしてボールペンレフィル１１を得ている。
【００１５】
螺旋状のインキ収容管１２もボールペンチップ５側から尾栓１６側に向かって、螺旋のピッチが除々に小さく（Ｌ２＞Ｍ２）なっている。インキ収容管１２を螺旋状とすることで、前述したインキ追従性の安定が得られるとともに、外観上で興味を引くことができる。また、インキ収容管１２を螺旋状とすることにより、インキ収容管１２自体に弾発力を付与することもでき、より一層、衝撃を緩和することができる。
【００１６】
本発明は、螺旋状のインキ収納室を形成するが、実施例１、２にて図示したようにインキ収容室の全体を螺旋状としてもよいし、一部分であってもよい。インキ収容量が多い場合には、前述したように衝撃性や追従性に影響が大きいので、少なくともインキの後端より前方に螺旋状を形成することが望ましい。
【産業上の利用可能性】
【００１７】
本発明のボールペンレフィルは、低粘度油性インキ、剪断減粘性を付与したインキ、水性インキ等、インキの種類に限定されることなく適用でき、特に剪断減粘性インキや水性インキのようにインキ粘度が比較的低く、耐衝撃性に不安を抱えるインキを採用する場合に有効である。また、ノック式、キャップ式に関わらず採用することができる。
【図面の簡単な説明】
【００１８】
【図１】実施例１のボールペンレフィルを示す、一部省略した要部縦断面図である。
【図２】実施例２のボールペンレフィルを示す外観図である。
【図３】図２における一部省略した要部縦断面図である。
【符号の説明】
【００１９】
１、１１  ボールペンレフィル
２、１２  インキ収容管
３、１３  インキ収容室
４、１４  チップホルダー
５  ボールペンチップ
６、１６  尾栓
７  螺旋部材
７ａ  通路
【図１】
2005144916.tif 000003
【図２】
2005144916.tif 000004
【図３】
2005144916.tif 000005